(57)【特許請求の範囲】
【請求項１】
多数の微細要素からなる第１のパターンが形成された第１の領域と、前記第１のパターンの微細要素とは異なる大きさの多数の微細要素からなる第２のパターンが形成された第２の領域とを有し、
前記第１の領域及び第２の領域が接することにより構成されるコピーイマージュと、それぞれの図形の中心を同一とする複数の多角形、又は円、又は楕円が重なることなく配置されて形成されるモアレパターンの少なくとも一部と、が施され、
前記モアレパターンにおいて、隣合う多角形、又は円、又は楕円との間隔は各図形の中心から外方に向かって漸次拡大、或いは漸次縮小されているか、或いは粗密が生じていることを特徴とする偽造防止印刷物。
【請求項２】
略矩形の印刷物本体と、
前記印刷物本体に設けられ、多数の微細要素からなる第１のパターンが形成された第１の領域と、
前記印刷物本体に設けられ、前記第１のパターンの微細要素とは異なる大きさの多数の微細要素からなる第２のパターンが形成された第２の領域と、
を備え、前記第１の領域及び第２の領域が接することにより構成されるコピーイマージュと、それぞれの中心を同一とする複数の楕円が重なることなく配置されたモアレパターンと、が施され、
前記複数の楕円の短径と長径の比が前記印刷物本体の短辺と長辺の比と略同じになっていることを特徴とする偽造防止印刷物。
【請求項３】
前記第１のパターンの微細要素及び第２のパターンの微細要素が、点と点、或いは点と線、或いは線と線のいずれかであることを特徴とする請求項１または請求項２に記載の偽造防止印刷物。
【請求項４】
前記モアレパターンにおいて、多角形、又は円、又は楕円の線幅が中心からの距離に比例して漸次拡大、或いは縮小されていることを特徴とする請求項１に記載の偽造防止印刷物。
【請求項５】
前記コピーイマージュにおいて、前記第１のパターンの微細要素及び第２のパターンの微細要素により占める面積が、傾斜状又は段階的に変化していることを特徴とする請求項１に記載の偽造防止印刷物。
【請求項６】
前記コピーイマージュのいずれの箇所においても、単位面積あたりの前記第１のパターンの微細要素の占める面積と第２のパターンの微細要素の占める面積とがほぼ同じであることを特徴とする請求項１又は請求項５に記載の偽造防止印刷物。
【請求項７】
前記コピーイマージュと、前記モアレパターンと、前記コピーイマージュ及び前記モアレパターン以外のパターンのうち、少なくともいずれか一つに色度座標上でトナーの色再現領域外に分布する色が用いられていることを特徴とする請求項１乃至請求項６のいずれかに記載の偽造防止印刷物。
【発明の詳細な説明】
【０００１】
【発明の属する技術分野】
本発明は、カラーコピー機などによる偽造を防止する技術を用いた印刷物に関するものである。
【０００２】
【従来の技術】
近年、デジタルカラーコピー機が普及し、その性能は著しく向上している。そのため、それまでは特殊な技術を要した金券などの偽造が、簡単且つ精巧にできることとなった。そこで、カラーコピー機の性能の向上と共に、様々な偽造防止の手段が施された印刷物が提案されてきた。
【０００３】
複写することで原稿にはない模様などを現出させて、原稿と複写物との差異を明確にすると、複写物の発見を容易に行うことができる。例えば、互いに重ならない複数の同心円からなるパターンを背景として印刷した偽造防止印刷物がある。この偽造防止印刷物を原稿として複写すると、複写物における前記パターンが形成された部分にはモアレが発生する。もちろん、該モアレは原稿にはないものなので、一目で複写物であることが確認できる。
【０００４】
【発明が解決しようとする課題】
複写の解像度は複写機の機種によって異なるだけでなく、同一の複写機でも原稿の種類（地図、文字、写真など）に応じて解像度を調整することができる。精細な複写物を得るためには解像度を高くし、画面の粗い原稿に対して見やすい複写物を得るためには解像度を低くするなど、その解像度の範囲は広い。従来の偽造防止印刷物では、複写物にモアレを発生させ得る解像度の範囲は狭いので、上述した様々な解像度の複写に対応できず、複写物にはモアレが発生しない場合があった。
【０００５】
本発明は、このような点に鑑みてなされたものであって、どのような解像度で複写しても確実に複写物に変化を起こして原稿との差異を明確にする偽造防止印刷物を提供することを目的とする。
【０００６】
【課題を解決するための手段】
上記目的を達成するために、本発明の偽造防止印刷物は、多数の微細要素からなる第１のパターンが形成された第１の領域と、前記第１のパターンの微細要素とは異なる大きさの多数の微細要素からなる第２のパターンが形成された第２の領域とを有し、前記第１の領域及び第２の領域が接することにより構成されるコピーイマージュと、それぞれの図形の中心を同一とする複数の多角形、又は円、又は楕円が重なることなく配置されて形成されるモアレパターンの少なくとも一部と、が施され、前記モアレパターンにおいて、隣合う多角形、又は円、又は楕円との間隔は各図形の中心から外方に向かって漸次拡大、或いは漸次縮小されているか、或いは粗密が生じているものである。
【０００７】
また本発明の偽造防止印刷物は、略矩形の印刷物本体と、前記印刷物本体に設けられ、多数の微細要素からなる第１のパターンが形成された第１の領域と、前記印刷物本体に設けられ、前記第１のパターンの微細要素とは異なる大きさの多数の微細要素からなる第２のパターンが形成された第２の領域と、を備え、前記第１の領域及び第２の領域が接することにより構成されるコピーイマージュと、それぞれの中心を同一とする複数の楕円が重なることなく配置されたモアレパターンと、が施され、前記複数の楕円の短径と長径の比が前記印刷物本体の短辺と長辺の比と略同じになっているものである。
【０００８】
本発明の偽造防止印刷物は、上記構成の偽造防止印刷物において、前記第１のパターンの微細要素及び第２のパターンの微細要素が、点と点、或いは点と線、或いは線と線のいずれかである。
【０００９】
本発明の偽造防止印刷物は、上記構成の偽造防止印刷物において、前記モアレパターンでは、多角形、又は円、又は楕円の線幅が中心からの距離に比例して漸次拡大、或いは縮小されている。
【００１０】
本発明の偽造防止印刷物は、上記構成の偽造防止印刷物において、前記コピーイマージュでは、前記第１のパターンの微細要素及び第２のパターンの微細要素により占める面積が、傾斜状又は段階的に変化している。
【００１１】
本発明の偽造防止印刷物は、上記構成の偽造防止印刷物において、前記コピーイマージュのいずれの箇所においても、単位面積あたりの前記第１のパターンの微細要素の占める面積と第２のパターンの微細要素の占める面積とがほぼ同じである。
【００１２】
本発明の偽造防止印刷物は、上記構成の偽造防止印刷物において、 前記コピーイマージュと、前記モアレパターンと、前記コピーイマージュ及び前記モアレパターン以外のパターンのうち、少なくともいずれか一つに色度座標上でトナーの色再現領域外に分布する色が用いられている。
【００１３】
【本発明の実施の形態】
以下、図面に従って、本発明に係る偽造防止印刷物の具体的な実施形態を詳細に説明する。図１は、本発明に係る第１実施形態の偽造防止印刷物の概略図である。定期券１には、その中心に後述するコピーイマージュが印刷されている円状部分１ａが設けられており、該円状部分１ａ以外の全面１ｂに後述するモアレパターンが印刷されている。これらのコピーイマージュ及びモアレパターンを背景として、その上に利用区間、氏名、及び使用期限などの文字１ｃが印刷されている。
【００１４】
本実施形態では、本発明に係る偽造防止印刷物を定期券に適用したが、この他の有価証券など偽造されると不都合が生じる印刷物に用いるとよい。また、以下、特に図示及び説明を行っていないが、これらの定期券や有価証券には会社のロゴやマークなどの地紋が施されることも多く、前記コピーイマージュは該地紋を避けて施してもよいし、利用してもよいものである。
【００１５】
本実施形態のコピーイマージュについて説明する。コピーイマージュは、第１の網点及び第２の網点の２つの網点から構成されている。図２は、本実施形態の定期券１におけるコピーイマージュ２の形成部分（図１中、円状部分１ａ）のみを模式的に示した図である。「ＮＯ」の文字を型どった部分４ａには第１の網点２ａを設け、それ以外の部分４ｂには第２の網点２ｂを設ける。ここでは、第１の網点２ａを設ける部分として「ＮＯ」の文字を用いたが、他の警告文句やマークなどその形状は特に限ることはなく、本実施形態のコピーイマージュは、後述する２つの網点を組み合わせて、目視では各網点を形成した領域の判別がつかなければよい。
【００１６】
網点とは多数の点からなる微細要素が規則的に並んだパターンである。第１の網点２ａを形成している点は、互いに異なる方向をもつ線密度１５０〜２００線/inchの２つの線群が交差してできた多数の枠において、それぞれの枠の中心に位置するように並んだものである。これらの点の大きさは、いずれも各枠内において所定の面積率(約１０〜３０%)を占めるものである。
【００１７】
また、第２の網点２ｂを形成している点は、互いに異なる方向をもつ線密度５０〜８０線/inchの２つの線群が交差してできた多数の枠において、それぞれの枠の中心に位置するように並んだものである。これらの点の大きさは、いずれも各枠内において第１の実施形態とほぼ同じ面積率を占めるものである。
【００１８】
図１０は、第１の網点２ａ及び第２の網点２ｂの一部をそれぞれ等倍に拡大した図である。（イ）は第１の網点２ａ、（ロ）は第２の網点２ｂを示しており、共に同じ面積（単位面積）のものである。本実施形態では、（イ）に示された第１の網点２ａを形成する各点の面積の合計と、（ロ）に示された第２の網点２ｂを形成する各点の面積の合計とはほぼ等しくなっている。
【００１９】
このように、第１の網点２ａと第２の網点２ｂとではその点の大きさは異なるが、いずれの点も微細であり、且つ単位面積あたりの点の占める面積はほぼ同じなので、目視ではこれらをほとんど区別することはできず、「ＮＯ」の文字は確認できない。
【００２０】
但し、各網点に利用する色によっては、点が大きい方の網点（本実施形態では、第２の網点２ｂ）が目立ち易いことがある。その場合、例えば第１の網点２ａが線密度１７５線/inchの線群、第２の網点２ｂが線密度６５線/inchの線群からなる枠を基準としているとすれば、各枠内における点の占める面積率を第１の網点２ａで３０％、第２の網点２ｂで２５％と、少し異なったものにするとよい。図２では、第１の網点２ａと第２の網点２ｂとを区別できるように、それぞれの点の大きさの差を顕著に示し、第１の網点２ａの形成部分４ａを点線で囲んでいるが、本来これらの点は非常に微細であり、また点線は設けられていない。
【００２１】
上記コピーイマージュ２を複写すると、複写の解像度が比較的高い場合、複写機は第１の網点２ａと第２の網点２ｂとの差異が認識でき、第１の網点２ａと第２の網点２ｂとを異なった状態で複写物に現出しようとする。図３は、複写された図２のコピーイマージュ２を模式的に示した図である。第２の網点２ｂはその点がはっきりと再現されて全体に濃い色となるが、第１の網点２ａは第２の網点２ｂよりも微細且つ薄い点で再現される。従って、複写物におけるコピーイマージュ２形成部分には「ＮＯ」の文字が白く浮き上がるので、明らかに原稿とは異なったものとなる。
【００２２】
本実施形態のコピーイマージュ２を構成する２種類の網点は、どちらも円状の点によって形成されているが、これに限る必要はない。ここで用いる２つの網点は、原稿では区別することができず、複写物にはその差異が明確に現出するものであればよい。
【００２３】
例えば、網点を形成する点を、複数の単位微細子で構成した複雑な形状のものにしてもよい。その場合、一方の網点を形成する点は比較的単位微細子同士が接して構成された形状とし、他方の網点を形成する点は比較的単位微細子同士が離れて構成された形状とする。どちらの網点においても、１つの点を構成するのに同数個の単位微細子を用い、単位面積あたりの点の占める面積率をほぼ等しくすることで、原稿では区別することができないが、複写物には異なった状態で再現される。
【００２４】
また、本実施形態ではコピーイマージュ２を２つの網点で構成したが、この他にも網点と万線、又は万線同士でコピーイマージュ２を構成してもよい。その場合、単位面積あたりの点と線、又は線同士の占める面積率をほぼ等しくすることで、原稿の状態ではこの２つのパターンを区別することができないが、複写物には異なった状態で再現させることができる。
【００２５】
次に、モアレパターン３について説明する。図４は、本実施形態の定期券１におけるモアレパターン３のみを模式的に示した図である。モアレパターン３は複数の同心円からなり、それらの円は互いに重なることなく、隣合う円とは一定の間隔で配置されている。
【００２６】
該モアレパターン３を複写すると、解像度が比較的低い複写の場合、複写の走査方向に拘らず、複写物のモアレパターン３の部分にモアレが現出する。このとき、同心円の半径方向の線密度を約３０〜１３０線/inchとすると、モアレが発生しやすく、特に４０〜８５線/inchに設定すると、４００dpiの解像度を有する複写機に顕著な効果を発揮する。本実施形態では、モアレパターン３を同心円で構成したが、これに限る必要はなく、中心を同一として互いに重ならないように配置した複数の多角形や楕円でも複写物にモアレを発生させることができる。
【００２７】
また、本実施形態では少なくとも定期券１の一部分、例えばコピーイマージュ２やモアレパターン３、或いはその他に設けられたパターンなどに、色度座標上でトナーの色再現領域外に分布する色を用いる。該色度座標上でトナーの色再現領域外に分布する色について説明する。図５は色度座標である。ｘ軸、ｙ軸とも色相を表しており、座標上の点はその位置の色度座標（ｘ,ｙ）によって表される色を示している。太線枠内Ａは人間の認識できる色を領域にして示している。
【００２８】
カラーコピー機の３原色カラートナーによる再現可能な色や、印刷インクによる再現可能な色には限界がある。トナーによる再現可能な色の方が、印刷インクによる再現可能な色よりもその数は少なく、色度座標上で領域として示した場合、トナーの色再現領域の方が印刷インクの色再現領域より狭いものとなる。従って、印刷インクの色再現領域には含まれるが、トナーの色再現領域には含まれない色が存在する。
【００２９】
例えば、図５において、Ｂは印刷インクで再現可能なライトグリーン系の色であり、Ｃはトナーで再現可能なライトグリーン系の色の分布である。図に示すように、印刷インクで再現可能な色Ｂはトナーで再現可能な色の分布Ｃとは異なるものである。つまり、印刷インクで再現可能な色Ｂはトナーの色再現領域外に分布する色なので、トナーで再現することはできない。従って、上記印刷インクで再現可能な色Ｂを用いた印刷物を原稿として複写した場合、その部分はライトグリーン系の色とは全く異なるライトブルーとなって再現され、原稿との明確な差異が生じる。
【００３０】
上述したように、本実施形態の偽造防止印刷物では、解像度の比較的高い複写の場合、複写物におけるコピーイマージュ２形成部分に「ＮＯ」の文字が現れ、解像度の比較的低い複写の場合、複写物におけるモアレパターン３の部分にモアレが発生する。従って、原稿と複写物との差異が明確となり、複写物の発見が瞬時に行える。また、前記色度座標上でトナーの色再現領域外の色を原稿に用いていることにより、複写物には原稿にはない色が現れるので、さらに本実施形態の偽造防止印刷物は、どのような解像度で複写しても一見して原稿とは異なると判断できる複写物を得ることができる。
【００３１】
次に、本発明に係る第２実施形態の偽造防止印刷物について説明する。本実施形態の偽造防止印刷物は、第１実施形態の偽造防止印刷物とその構成がほぼ同じで、定期券には背景部として、その中心に後述するコピーイマージュが印刷されている円状部分が設けられており、該円状部分以外の全面に後述するモアレパターンが印刷されている（図１参照）。
【００３２】
本実施形態のコピーイマージュについて説明する。コピーイマージュは第１の万線及び第２の万線の２つの万線から構成されている。図６は、本実施形態の定期券１１におけるコピーイマージュ１２の形成部分のみを模式的に示した図である。「ＮＯ」の文字を型どった部分１４ａには、線密度１７５線/inchの第１の万線１２ａを設け、それ以外の部分１４ｂには線密度６５線/inchの第２の万線１２ｂを設ける。
【００３３】
第１の万線１２ａ及び第２の万線１２ｂとでは線幅や線間隔はそれぞれ異なるが、いずれの線も非常に細く、且つ第１実施形態のように単位面積あたりの線の占める面積はほぼ同じとしている。故に、目視ではこれらを区別することはできず、「ＮＯ」の文字は確認できない。図６では、第１の万線１２ａと第２の万線１２ｂとを区別できるように、それぞれの線の太さの差を顕著に示し、第１の万線１２ａの形成部分１４ａを点線で囲んでいるが、本来これらの線は非常に細く、また点線は設けられていない。
【００３４】
上記コピーイマージュ２を複写すると、複写の解像度が比較的高い場合、複写機は第１の万線１２ａと第２の万線１２ｂとの差異が認識でき、第１の万線１２ａと第２の万線１２ｂとを異なった状態で複写物に現出しようとする。第２の万線１２ｂはその線がはっきりと再現されて全体に濃い色となるが、第１の万線１２ａは第２の万線１２ｂより細く薄い線で再現される。従って、複写物におけるコピーイマージュ２形成部分には「ＮＯ」の文字が白く浮き上がるので（図３参照）、明らかに原稿とは異なったものとなる。
【００３５】
また、本実施形態ではコピーイマージュ１２を２つの万線で構成したが、この他にも網点同士、又は網点と万線でコピーイマージュを構成してもよい。その場合、単位面積あたりの点同士、又は点と線の占める面積率をほぼ等しくすることで、原稿の状態では２つのパターンを区別することができないが、複写物には異なった状態で再現させることができる。
【００３６】
次に、モアレパターン１３について説明する。図７は、本実施形態の定期券１１におけるモアレパターン１３のみを模式的に示した図である。モアレパターン１３は、それぞれの中心を同一とする複数の楕円からなり、それらが互いに重なることなく配置されている。該モアレパターン１３の楕円は、複数の同心円を定期券１１の横の長さに対する縦の長さの割合に応じて、縦方向に圧縮したものなので、モアレパターン１３の縦方向と横方向にはほぼ同じ数の線が並んでいる。
【００３７】
また、モアレパターン１３は中心から半径方向に遠ざかるに従って、隣合う楕円同士の間隔が反比例して狭くなっている。その線密度は、例えば中心付近の縦方向では約４０線/inchで、外側へいくに従って連続的に増えていき、最も外側で約８５線/inchとしている。ここでは、楕円の間隔を連続的に変化させたが、これを複数のグループに分け、そのグループ毎に段階的に変化させてもよい。
【００３８】
上記モアレパターン１３を複写すると、複写機の走査方向に拘らず複写物のモアレパターン１３の部分にはモアレが現出する。また、本実施形態では楕円の間隔を変化させていることから、モアレパターン１３の半径方向には楕円の間隔に粗密が生じており、楕円の間隔が粗の部分では解像度の比較的低いときにモアレが発生しやすく、密の部分では解像度の比較的高いときにモアレが発生しやすい。
【００３９】
また、円からなるモアレパターンでは、定期券１１のような横長の長方形状の対象物全面に形成する場合、左右方向に比べて上下方向が狭く、モアレが現れにくかったが、本実施形態では楕円の縦と横の長さの割合を、定期券１１の縦と横の長さと同じ割合としているので、中心の上下方向にも左右方向と同様にモアレが発生するようになり、目視した時さらに判別しやすいものとできる。さらに、楕円の場合には縦と横の長さの割合によって、線幅や間隔が微妙に変化することから、円からなるモアレパターンよりも一つのパターン内に様々な線幅や間隔を有することができる。故に、複写の解像度のより広い範囲において、複写物の一部分にモアレを発生させることができる。
【００４０】
本実施形態では、モアレパターン１３を楕円で構成したがこれに限る必要はなく、中心を同一とする複数の多角形や円でもモアレを発生させることができる。また、楕円の間隔を漸次拡大したが、縮小したモアレパターンでもよい。さらに、図１２に示したモアレパターン１３ａのように、一本の線からなる螺旋状（渦巻状）のものや、図１３に示したモアレパターン１３ｂのように、半円同士を互いに２本の直線で結んだ楕円に類似した形状のものでも構わない。
【００４１】
上述したように、本実施形態の偽造防止印刷物では、解像度の比較的高い複写の場合、複写物におけるコピーイマージュ２形成部分には「ＮＯ」の文字が現れ、モアレパターン１３の楕円の間隔が密の部分にモアレが発生する。解像度の比較的低い複写の場合、複写物におけるモアレパターン３の楕円の間隔が粗の部分にモアレが発生する。故に、原稿と複写物との差異が明確となり、複写物の発見が瞬時に行える。
【００４２】
また、上述したコピーイマージュ１２及びモアレパターン１３に加えて、第１実施形態と同様に、少なくとも定期券１１の一部分に色度座標上でトナーの色再現領域外に分布する色を用いることによって、複写物には原稿にはない色が現れる。従って、本実施形態の偽造防止印刷物は、どのような解像度で複写しても一見して原稿とは異なると判断できる複写物を得ることができる。
【００４３】
次に、本発明に係る第３実施形態の偽造防止印刷物について説明する。図８は第３実施形態の偽造防止印刷物の概略図である。定期券２１には、後述するモアレパターンが印刷されている円環部分２１ａが設けられており、該円環部分２１ａ以外の全面２１ｂに後述するコピーイマージュが印刷されている。その他の構成は、第１実施形態の偽造防止印刷物とほぼ同じである。
【００４４】
本実施形態のコピーイマージュについて説明する。コピーイマージュは第３の網点及び第４の網点から構成されている。図９は、本実施形態の定期券２１におけるコピーイマージュ２２の形成部分（図８中、円環部分以外の全面２１ｂ）のみを模式的に示した図である。複数個の「コピー」の文字を型どった部分２４ａには第３の網点２２ａを設け、それ以外の部分２４ｂには第４の網点２２ｂを設ける。
【００４５】
第３の網点２２ａを形成している点は、互いに異なる方向をもつ線密度１７５線/inchの２つの線群が交差してできた多数の枠において、それぞれの中心に位置するように並んだものである。これらの点の大きさは、いずれも各枠内において所定の面積率を占めるものであるが、その面積率は定期券２１の左から右へいくに従って連続的に小さくなる。
【００４６】
第４の網点２２ｂを形成している点は、互いに異なる方向をもつ線密度６５線/inchの２つの線群が交差してできた多数の枠において、それぞれの中心に位置するように並んだものである。これらの点の大きさは、いずれも各枠内において所定の面積率を占めるものであるが、第３の網点２２ａと同様に、その面積率は定期券２１の左から右へいくに従って連続的に小さくなる。このとき、定期券２１において第３の網点２２ａを形成している点、及び第４の網点２２ｂを形成している点の各枠に対する面積率は、縦方向に並んだ点同士で等しく、横方向に隣合う点とは異なったものとなる。
【００４７】
このように、本実施形態のコピーイマージュ２は、第３の網点２２ａ及び第４の網点２２ｂを形成する点の大きさが、左から右へいくに従って連続的に小さくなるので、定期券２１は左側で最も色が濃く、右へ行くにつれて色が徐々に薄くなる、いわゆるグラデーションを有する色調となっている。また、第３の網点２２ａと第４の網点２２ｂとではその点の大きさは異なるが、いずれの点も微細であり、且つ第１実施形態と同様に単位面積あたりの点の占める面積はほぼ同じとしているので、目視ではこれらを区別することはできず、「コピー」の文字は確認できない。上記の構成により、本実施形態におけるコピーイマージュ２２はさらに広い解像度の複写機などに対応可能となるものである。
【００４８】
図９では、第３の網点２２ａと第４の網点２２ｂとを区別できるように、それぞれの点の大きさの差を顕著に示し、第３の網点２２ａの形成部分２４ａを点線で囲んでいるが、本来これらの点は非常に微細であり、また点線は設けられていない。
【００４９】
上記コピーイマージュ２２を複写すると、複写の解像度が比較的高い場合、複写機は第３の網点２２ａと第４の網点２２ｂとの差異が認識でき、第３の網点２２ａと第４の網点２２ｂとを異なった状態で複写物に現出しようとする。第４の網点２２ｂはその点がはっきりと再現されて全体に濃い色となるが、第３の網点２２ａは第４の網点２２ｂよりも微細且つ薄い点で再現される。従って、複写物におけるコピーイマージュ２２形成部分には「コピー」の文字が白く浮き上がるので、明らかに原稿とは異なったものとなる。
【００５０】
また、複写機によっては、網点を形成する非常に小さい点もはっきり再現できる調整も行えるので、上述した「コピー」の文字が浮き上がらない場合もある。しかし、第３の網点２２ａと第４の網点２２ｂはグラデーションがついているので、定期券２１の右側に位置する第４の網点２２ｂを形成する非常に小さい点もはっきり再現した場合、色の濃淡の変化が少なくなって全体にほぼ一様な色調となり、原稿との差異が明確となる。
【００５１】
また、本実施形態では、コピーイマージュ２２を２つの網点で構成したが、この他にも網点と万線、又は万線同士でコピーイマージュ２２を構成してもよい。その場合、単位面積あたりの点と線、又は線同士の占める面積率を一定方向に並んだ点と線、又は線同士で等しくし、別方向に隣合う点又は線とはその点や線の大きさ、或いは太さなどを変化させることにより、面積率を異なるようにすることで、原稿の状態ではこの２つのパターンを区別することができないが、複写物には異なった状態で再現させることができる。
【００５２】
本実施形態の定期券２１における円環部分２１ａに設けられるモアレパターン（図示せず）は、第１実施形態のパターン３と同様、複数の同心円からなるパターンとするが、モアレが発生するパターンであれば特にこれに限らない。また、少なくとも定期券２１の一部分、例えばコピーイマージュ２２やモアレパターン、或いはその他に設けられたパターンなどに色度座標上でトナーの色再現領域外に分布する色を用いる。
【００５３】
上述したように、本実施形態の偽造防止印刷物では、解像度の比較的高い複写の場合、複写物におけるコピーイマージュ２形成部分には「コピー」の文字が現れる。或いは、色の濃淡の変化が消えて全体に一様な色となる。解像度の比較的低い複写の場合、複写物におけるモアレパターンの部分（図８中、円環部分２１ａ）にモアレが発生する。従って、原稿と複写物との差異が明確となり、複写物の発見が瞬時に行える。また、「コピー」の文字やモアレが明確でない場合でも、前記色度座標上でトナーの色再現領域外の色を原稿に用いていることにより、複写物には原稿にない色が現れる。故に、本実施形態の偽造防止印刷物は、どのような解像度で複写しても一見して原稿とは異なると判断できる複写物を得ることができる。
【００５４】
次に、本発明に係る第４実施形態の偽造防止印刷物について説明する。本実施形態の偽造防止印刷物は、第１実施形態の偽造防止印刷物とその構成がほぼ同じで、定期券には背景部として、その中心に第１実施形態と同様のコピーイマージュ（図２参照）が印刷されている円状部分が設けられており、該円状部分以外の全面に後述するモアレパターンが印刷されている。
【００５５】
本実施形態のモアレパターン３３について説明する。図１１は、本実施形態の定期券３１におけるモアレパターン３１のみを模式的に示した図である。モアレパターン３３は複数の同心円からなり、これらの同心円は中心からの距離に比例して空間周波数が高くなった状態、つまり中心から外方へいくほど線幅及び間隔が細くなっている。その線幅は中心付近では約０.５m/mで、外側へいくに従って連続的に狭くなり、約０.１m/mまで変化する。
【００５６】
上記モアレパターン３３を複写すると、複写機の走査方向に拘らず複写物のモアレパターン３３の部分にはモアレが現出する。また、本実施形態では円の線幅及び間隔を中心からの距離に比例して変化させていることから、円の線幅が太い部分では解像度の比較的低いときにモアレが発生し易く、線幅が細い部分では解像度の比較的高いときにモアレが発生し易い。尚、隣合う円の間隔を一定とし、線幅のみを変化させたモアレパターンでも同様の効果を得ることができる。
【００５７】
本実施形態ではモアレパターン３３を同心円で構成したがこれに限る必要はなく、中心を同一とする複数の多角形や楕円でもモアレを発生させることができる。また、同心円の線幅を漸次縮小したが、拡大したモアレパターンでもよい。さらに、第２実施形態のモアレパターン１３と同様に、一本の線からなる螺旋状（渦巻状）のものや、半円同士を互いに２本の直線で結んだ楕円に類似した形状のものでも構わない（図１２及び図１３参照）。
【００５８】
上述したように、本実施形態の偽造防止印刷物では、解像度の比較的高い複写の場合、複写物におけるコピーイマージュ形成部分には「ＮＯ」の文字が現れ、モアレパターン３３の円の線幅が細い部分にモアレが発生する。解像度の比較的低い複写の場合、複写物におけるモアレパターン３３の円の線幅が太い部分にモアレが発生する。故に、原稿と複写物との差異が明確となり、複写物の発見が瞬時に行える。
【００５９】
また、上述したコピーイマージュ及びモアレパターン３３に加えて、第１実施形態と同様に、少なくとも定期券３１の一部分に色度座標上でトナーの色再現領域外に分布する色を用いることによって、複写物には原稿にはない色が現れる。従って、本実施形態の偽造防止印刷物は、どのような解像度で複写しても一見して原稿とは異なると判断できる複写物を得ることができる。
【００６０】
【発明の効果】
以上説明したように、本発明の偽造防止印刷物は、比較的高い解像度で複写した場合、コピーイマージュによって原稿にはない文字や模様などが複写物に現れ、比較的低い解像度で複写した場合、モアレパターンによって原稿にはないモアレが複写物に現れる。故に、どのような解像度の複写でも、原稿とは異なった複写物を得ることができる。
【００６１】
特に、本発明の偽造防止印刷物は、複写時の解像度に拘らず、少なくとも複写物の一部分にモアレを発生させるので、原稿と複写物の差異が明確になる。また、モアレパターンの一定でない間隔及び線幅が、中心から外方に向かって漸次拡大、或いは縮小されているので、印刷物のデザインなどを損なうことがない。
【００６２】
また、本発明の偽造防止印刷物は、網点を形成する非常に小さい点も明確に再現できる調整が可能な複写機で複写した場合でも、２つの網点の差異は現れないかわりに、網点のグラデーションが消えて全体に一様な色となる。従って、さらに広い範囲の解像度にも対応可能となる。
【００６３】
本発明の偽造防止印刷物は、色度座標上でトナーの色再現領域外に分布する色のパターンは、複写しても原稿と同じ色には再現されないので、コピーイマージュ及びモアレパターンによって発生する文字やモアレなどと共に、原稿と複写物の差異を一層明確にする。
【図面の簡単な説明】
【図１】  本発明に係る第１実施形態の偽造防止印刷物の概略図である。
【図２】  第１実施形態の定期券１におけるコピーイマージュ２の形成部分のみを模式的に示した図である。
【図３】  複写された図２のコピーイマージュ２を模式的に示した図である。
【図４】  第１実施形態の定期券１におけるモアレパターン３のみを模式的に示した図である。
【図５】  第１実施形態の偽造防止印刷物に用いられた色を表す色度座標である。
【図６】  本発明に係る第２実施形態の定期券１１において、コピーイマージュ１２の形成部分のみを模式的に示した図である。
【図７】  第２実施形態の定期券１１におけるモアレパターン１３のみを模式的に示した図である。
【図８】  本発明に係る第３実施形態の偽造防止印刷物の概略図である。
【図９】  第３実施形態の定期券２１におけるコピーイマージュ２２の形成部分のみを模式的に示した図である。
【図１０】  第１実施形態において、単位面積あたりの（イ）第１の網点２ａ及び（ロ）第２の網点２ｂを拡大して示した図である。
【図１１】  第４実施形態の定期券３１におけるモアレパターン３３のみを模式的に示した図である。
【図１２】  第２実施形態において、他のモアレパターン１３ａを模式的に示した図である。
【図１３】  第２実施形態において、他のモアレパターン１３ｂを模式的に示した図である。
【符号の説明】
１    定期券
２    コピーイマージュ
２ａ    第１の網点
２ｂ    第２の網点
３    モアレパターン
４ａ    第１の網点２ａの形成部分
４ｂ    第２の網点２ｂの形成部分
１１    定期券
１２    コピーイマージュ
１２ａ    第１の万線
１２ｂ    第２の万線
１３    モアレパターン
１３ａ、１３ｂ  モアレパターン
１４ａ    第１の万線１２ａの形成部分
１４ｂ    第２の万線１２ｂの形成部分
２１    定期券
２２    コピーイマージュ
２２ａ    第３の網点
２２ｂ    第４の網点
２４ａ    第３の網点２２ａの形成部分
２４ｂ    第４の網点２２ｂの形成部分
３１    定期券
３３    モアレパターン
【図１】
0003909906.tif 000002
【図２】
0003909906.tif 000003
【図３】
0003909906.tif 000004
【図４】
0003909906.tif 000005
【図５】
0003909906.tif 000006
【図６】
0003909906.tif 000007
【図７】
0003909906.tif 000008
【図８】
0003909906.tif 000009
【図９】
0003909906.tif 000010
【図１０】
0003909906.tif 000011
【図１１】
0003909906.tif 000012
【図１２】
0003909906.tif 000013
【図１３】
0003909906.tif 000014